(57)【要約】【課題】  多焦点コンタクトレンズを模擬することができるエミュレータを提供する。【解決手段】  エミュレータ５０は、第１の光路に沿う方向に向けられた第１の成分Ａ’および第２の光路に沿う方向に向けられた第２の成分Ａ”に入射光エネルギーＡを分けるビームスプリッター１２を有する。エミュレータは、第１の受け部６０を有し、この受け部は、第１の光路Ａ’に沿う方向に向けられた光エネルギーのみを通す。第１の受け部には、加入レンズ１６，７２を入れられる。第２の成分Ａ”の光エネルギーを、加入度数が加えられた第１の成分Ａ’の光エネルギーと結合させ、その結合させた光エネルギーＡ’Ａ”を共通の光路に沿う方向に向けるために、ビーム結合器２０が配置されている。球面レンズ２２および／または円柱レンズ２４を入れられる別の受け部が、共通の光路Ａ’Ａ”に沿って進む結合させた光エネルギーを通すように適所に配置されている。【選択図】  図１
2007527263.tif 000002
【特許請求の範囲】
【請求項１】
多焦点コンタクトレンズを模擬して同時視効果を目の網膜に生じさせるための装置であって、
入射光エネルギーを、第１の光路に沿う方向に向ける第１の成分と、前記第１の光路と異なる第２の光路に沿う方向に向ける第２の成分とに分割するように配置されたビームスプリッターと、
前記第１の光路に沿う方向に向けた光エネルギーのみを通すように配置されており、加入レンズを入れることができる第１の受け部と、
前記第２の成分の光エネルギーを、前記第１の受け部を通過した前記第１の成分の光エネルギーと結合させ、前記結合させた光エネルギーを共通の光路に沿う方向に向けるように配置されたビーム結合器と、
前記共通の光路に沿って進行している前記結合させた光エネルギーを通すように配置されており、球面レンズを入れることができる第２受け部と、を備えている、装置。
【請求項２】
請求項１記載の装置であって、
前記ビームスプリッターおよび前記ビーム結合器には、それぞれ、キューブビームスプリッターが含まれる、装置。
【請求項３】
請求項１記載の装置であって、
前記ビームスプリッターおよび前記ビーム結合器には、それぞれ、キューブビーム偏光子が含まれる、装置。
【請求項４】
請求項１記載の装置であって、
入射光エネルギーを直線偏光に変換する吸収型偏光子をさらに備えている、装置。
【請求項５】
請求項４記載の装置であって、
前記吸収型偏光子が、前記ビームスプリッターによって生成された前記第１および第２の成分の間の強度比を変えるために、前記ビームスプリッターに対して回転可能に取り付けられている、装置。
【請求項６】
請求項１記載の装置であって、
前記共通の光路に沿って進行している前記結合させた光エネルギーを通すように配置されており、円柱レンズを入れることができる第３の受け部をさらに備えている、装置。
【請求項７】
請求項６記載の装置であって、
前記第２の受け部が、前記ビーム連結器および前記第３の受け部の間において、前記共通の光路に沿った位置に配置されている、装置。
【請求項８】
請求項６記載の装置であって、
前記第２および第３受け部の各々が、それぞれのドロップレンズホルダーを備えている、装置
【請求項９】
請求項１記載の装置であって、
前記第１の受け部が、レンズ挿入体を入れるためのスロットを備えている、装置。
【請求項１０】
請求項１記載の装置であって、
前記ビームスプリッターからの前記第１成分の光エネルギーの向きを再度変えて前記第１の受け部に通す第１の反射器と、
前記第１の反射器からの前記第１成分の光エネルギーの向きを前記ビーム結合器へと再度変える第２の反射器と、をさらに備えている、装置。
【請求項１１】
請求項１０記載の装置であって、
前記第１および第２の反射器の各々が、それぞれの全反射プリズムを備えている、装置。
【請求項１２】
請求項１記載の装置であって、
各々がそれぞれの加入度数を与える複数の加入レンズを支持することができるホイールであって、前記複数の加入レンズのなかで選択した１つを前記第１の受け部に配置して前記第１の成分の光エネルギーを通すために、前記ビームスプリッターに対して回転可能に取り付けられているホイールをさらに備えている、装置。
【請求項１３】
請求項１記載の装置であって、
いろいろな度数からなる複数の球面レンズを支持している球面調整部材であって、前記複数の球面レンズのなかで選択した１つを前記共通の光路に位置合わせするために、ハウジングに可動に支持されている球面調整部材をさらに備えている、装置。
【請求項１４】
請求項１３記載の装置であって、
前記球面調整部材が、縦方向に移動できる長い帯状体を備えている、装置。
【請求項１５】
請求項１３記載の装置であって、
前記球面調整部材が、無レンズ開口部を備えており、前記無レンズ開口部は、前記共通の光路に選択的に位置を合わせることができる、装置。
【請求項１６】
請求項１３記載の装置であって、
前記複数のレンズが、全体として、１／４刻みのジオプトリー増分で、度数の調整を可能にしている、装置
【請求項１７】
多焦点コンタクトレンズを模擬して、同時視効果を人の目の網膜に生じさせるための装置であって、
ハウジングと、
請求項１による第１の装置であって、前記第１の装置の前記共通の光路を前記人の左目の位置に合わるために、前記ハウジングに所定位置において支持されている第１の装置と、
請求項１による第２の装置であって、前記第２の装置の前記共通の光路を前記人の右目の位置に合わるために、前記ハウジングに所定位置において支持されている第２の装置と、を備えている装置。
【請求項１８】
請求項１７記載の装置であって、
それぞれの前記共通の光路を前記人の左右の目の瞳孔の位置に合わせるために、それぞれの前記第３の受け部の間の距離を変えることができる瞳孔間距離機構をさらに備えている、装置。
【請求項１９】
請求項１７記載の装置であって、
前記第１および第２の装置の少なくとも一部を旋回させて、それぞれの前記第１の受け部のそれぞれの軸を交差させることができる集束機構をさらに備えている、装置。
【請求項２０】
請求項１７記載の装置であって、
それぞれの加入度数を与える複数の加入レンズを各々が支持する第１および第２ホイールであって、前記複数の加入レンズのなかで選択した１つを、それぞれの第１の受け部に選択的に配置して、それぞれの第１の成分の光エネルギーを通すために、各々が、回転可能となっている第１および第２のホイールをさらに備えている、装置。
【請求項２１】
請求項１７記載の装置であって、
いろいろな度数からなる複数の球面レンズを各々が支持している第１および第２の球面調整部材であって、それぞれの前記複数の球面レンズのなかで選択した１つを、それぞれの前記共通の光路に選択的に位置合わせするために、各々が、前記ハウジングに可動に支持されている第１および第２の球面調整部材をさらに備えている、装置。
【請求項２２】
請求項２１記載の装置であって、
前記第１および第２の球面調整部材の各々が、前記ハウジング上で、それぞれの前記共通の光路に対して縦方向に移動可能な長い帯状体を備えている、装置。
【請求項２３】
請求項２１記載の装置であって、
前記第１および第２の球面調整部材の各々が、無レンズ開口部を備えており、前記無レンズ開口部は、それぞれの前記共通の光路に選択的に位置を合わせることができる、装置。
【請求項２４】
請求項２１記載の装置であって、
前記複数のレンズが、全体として、１／４刻みのジオプトリー増分で、度数の調整を可能にしている、装置。
【発明の詳細な説明】
【開示の内容】
【０００１】
〔発明の分野〕
本発明は、概して、視力を向上させるための矯正レンズに関するものであり、より詳細には、矯正用多焦点コンタクトレンズのフィッティングのための方法および装置に関するものである。
【０００２】
〔従来技術の検討〕
現在普及している、人に矯正レンズをフィッティングさせるための臨床的技法には、ホロプタ(phoropter)を使って視力の処方箋(vision prescription)を作成するというものがある。一般に、検眼士または他の医療専門家が、人（患者）にホロプタを通して、少し離れたところに表示された図表を覗かせる。医療専門家は、次にホロプタを使って、その人のサイトパス(sight path)にいろいろなレンズ、またはレンズの組合せを挿入し、その人の矯正レンズの処方に最適な加入、球面、および／または円柱パラメータを決める。これには、通常、その人に、いろいろなレンズの組合せでの視力を比較し、どの組合せで図表の文章がもっとも明瞭に見えたかを言ってくれるように頼むということが伴う。そして、個別に合わせた眼鏡は、このようにして得られた処方箋に従い、その人のための作ることができる。
【０００３】
このアプローチは、単焦点およびモノビジョンの眼鏡レンズまたはコンタクトレンズに適している。このアプローチは、二焦点／多焦点眼鏡レンズにも適している。なぜならば、人は、彼／彼女の目／瞳孔を操って、異なる焦点距離で特徴付けられる領域を有する二焦点／多焦点眼鏡レンズの異なる部分を通して、目的物に選択的に焦点を合わせることができるからである。しかし、このアプローチは、二焦点／多焦点コンタクトレンズにとっては不向きであることが判明している。これは、このようなコンタクトレンズが上述した矯正用眼鏡と異なる作用原理を有するからである。
【０００４】
特に、大部分のソフト多焦点コンタクトレンズは、「同時視」の原理で作用している。多焦点眼鏡レンズのように、多焦点コンタクトレンズは、焦点距離が異なる、異なる領域を有し、一方の屈折力が遠くを見るようになっていて、他方が近くを見るようになっている。したがって、焦能力は、多焦点コンタクトレンズの領域から領域へと変わる。しかし、多焦点眼鏡レンズと異なり、多焦点コンタクトレンズにおける、焦点距離が異なるこれらの領域は、両方とも装着者の目の上に置かれ、瞳孔を覆っている。このために、装着者は、レンズの異なる部分を通して選択的に焦点を合わせることができない。むしろ、レンズの各領域の焦能力／焦点距離に対応したさまざまな鮮明度で複数の画像の焦点が装着者の目の網膜に同時に合うようになる（「同時視効果」）。これらの画像は、十分はっきりした単一の画像を人が理解できるように、人の脳によって分離、結合、ないし他の方法で処理されると考えられている。ホロプタは、このような同時視効果を模擬することができないので、多焦点コンタクトレンズに適さない、または最も望ましいものではない。結果として、普通、最初にホロプタを使って視力の処方箋を取得し、この処方箋に合う多焦点コンタクトレンズを作って与え、そして、これらの多焦点コンタクトレンズを装着しながら視力を検査することにより、多焦点コンタクトレンズを合わせる。通常、最適な視力より悪いと報告され、続いて、トライアルアンドエラー式のアプローチが行われる。このアプローチでは、十分な視力が報告されるまで、別の多焦点コンタクトレンズのセットがその人にはめられる。この繰り返し行われるプロセスは、フラストレーションが溜まり、時間を浪費するものである。なぜならば、コンタクトレンズの各セットが程良く目の中心にきて、十分に水気を含むようになり、およびその他の点で視力検査を行う前に落ち着くまで、通常１５分から４５分かかるからである。この非常に長いプロセスは、医療専門家にとって高くつくものであり、また、このような費用は、拒絶された多焦点コンタクトレンズの１つ以上のセットを捨てることが必要であることによるものである。
【０００５】
〔発明の概要〕
本発明は、多焦点コンタクトレンズのフィッティングの際に使用して、目の網膜に同時視効果を生じさせることにより、多焦点コンタクトレンズを模擬することができるエミュレータを提供するものである。本発明によるエミュレータ装置は、ビームスプリッターを有し、このビームスプリッターは、入射光エネルギーを第１の光路に沿った方向に向けられた第１の成分と、第１の光路とは異なる第２の光路に沿った方向に向けられた第２の成分とに分割するように配置されている。この装置は、第１の光路のみに沿った方向に向けられた光エネルギーを通すように配置された第１の受け部をさらに有する。第１の受け部には、加入度数を与えるための加入レンズを入れることができる。ビーム結合器が、第２成分の光エネルギーを、第１の受け部に、つまり加入度数を加えるために通した第１の成分の光エネルギーと結合させるように、かつ、結合させた光エネルギーを共通の光路に沿った方向に向けるように配置されている。第２および第３の受け部が設けられており、これらの第２および第３の受け部は、球面レンズおよび／または円柱レンズを入れることができる。これらの受け部は、共通の光路に沿って進んでいる結合させた光エネルギー通すように所定位置に設けられている。
【０００６】
このようにして、このエミュレータは、入射光エネルギーを２つの異なる光路に分光し、２つの光路のうちの一方に加入度数を加え、２つの異なる光路から結合させた光エネルギーに球面度数および／または円柱度数を加える。これにより、近くの画像、すなわち、比較的近くの位置に焦点を合わせた画像、および遠い画像、すなわち、比較的遠くの位置に焦点を合わせた画像ができる。両画像の焦点は、エミュレータを覗いている人の目の網膜に同時に結ばれる。このようにして多焦点コンタクトレンズによって作り出される同時視効果に匹敵する同時視効果を作り出す。
【０００７】
エミュレータ装置は、各々が上述した光学系を有する２つの接眼鏡を有することがある。この装置は、さまざまな間隔の瞳孔に位置を合わせるために接眼鏡間の距離を調整する瞳孔間距離機構と、接眼鏡を回して、接眼鏡を通るサイトパス／光路を近くの一点に集束させることができる集束機構と、をさらに有することもある。これは、人の目が内側へ回転して、顔の比較的近くの位置に焦点を合わせる、読書をしている状態を模擬するものである。
【０００８】
多焦点コンタクトレンズを模擬して、目の網膜に同時視効果を生じさせる方法も提供される。
次に、本発明を、添付の図面を参照しながら例として説明する。
【０００９】
〔詳細な説明〕
本発明は、多焦点コンタクトレンズの患者へのフィッティングの際に使用して、目の網膜に同時視効果を生じさせるによって多焦点コンタクトレンズを模擬することができる装置および方法を提供する。これにより、同時視の原理で動作していないホロプタを使用して処方箋を作成することに関連した不正確さをなくすことができ、トライアルアンドエラー方式に基づいた処方の調整による時間および費用の浪費をなくすことができる。したがって、目にコンタクトレンズを入れるという必要なく、多焦点コンタクトレンズの正確な処方箋を得ることができる。
【００１０】
ここで図１を参照すると、本発明に従って同時視を模擬するのに、入射光エネルギーをどうのように処理するかが概略図に示されている。このような入射光エネルギーは、検眼士の診察室における周囲光、例えば、目の検査を行っているときに人が見る、一般的な視力検査表から反射された光などであってもよい。このような光エネルギーは、図１にＡで示すように、通常、偏光していない。当然のことながら、図１には、説明のために、光線軌跡モデルが入っている。
【００１１】
この例では、オプションではあるが、このような入射光エネルギーＡを、最初に、例えば吸収型偏光子などの偏光子１０に通す。この偏光子１０には、偏光していない、またはランダムに偏光した入射光が入り、基準平面に対してある角度を向いた直線偏光となって出力される。この直線偏光した光は、光路Ｘを進行してビームスプリッター１２に入る。ビームスプリッター１２は、第１の偏光（“Ｓ”偏光）を有する第１の成分Ａ’と、第２の偏光（“Ｐ”偏光）を有する第２の成分Ａ”とに入射光エネルギーを分割するように配置されている。なお、ランダムに偏光した背景光の場合、２つの偏光の間の比率が５０％／５０％になると仮定されている。吸収型偏光子１０は、基準平面／ビームスプリッター１２に対して４５°に取り付けることにより、比率を確実に５０％／５０％にするように使用することができる。現在のところ、この比率が都合よいと考えられている。あるいは、偏光子を他の角度方向に向け、ビームスプリッター１２を出るＳおよびＰ偏光成分間の強度比を調整してもよい。オプションとして、吸収型偏光子１０の代わりに、キューブ型偏光子または同様の素子を使用してもよい。
【００１２】
ビームスプリッター１２は、第１および第２の成分を２つの異なる光路、すなわち近くを見るためのＳ光路と、遠くを見るためのＰ光路に沿った方向に向ける。例として、ビームスプリッター１２は、可視波長帯のキューブ型スプリッターであってもよいし、あるいは可視波長帯のキューブ型偏光子であってもよい。このような光学素子は、当該技術で公知である。もっとも、キューブ型スプリッターを使用すると、キューブ型偏光子の場合は反射される光エネルギーが幾らか透過する傾向があり、そのために、見える画像が暗くなることに留意しなければならない。
【００１３】
本発明によれば、第１の成分および第２の成分のうちの一方が加入レンズに通される。図１の例では、第１の成分Ａ’が加入レンズ１６に通される。加入レンズ１６は、Ｓ光路を進行する光エネルギーを通すように配置されている。加入レンズ１６は、後述する球面レンズ２２と協働して、近くが見られるように第１成分の光エネルギーの焦点を合わせる。この加入レンズは、後述するように、満足のいく視力になったとの報告があるまで、選択的に交換してもよい。第２の成分Ａ”は、加入レンズには通さない。
【００１４】
次に、加入レンズ１６によって屈折された第１の成分Ａ’と、第２の成分Ａ”は、ビーム結合器２０に向けられ、入射する。ビーム結合器２０は、第１の成分Ａ’および第２の成分Ａ”を結合し、共通の光路Ｙに沿った方向に向けるように配置されている。例として、ビーム結合器２０は、ビームスプリッター１２に関連して前述したのと同様の可視波長帯キューブ型スプリッターであってもよいし、あるいは可視波長帯キューブ型偏光子であってもよい。当業者ならば分かるように、ビームスプリッター１２およびビーム結合器２０は、前述した所望の効果を達成するために、適切な向きに配置する必要がある。
【００１５】
図１の例では、内部全反射（ＴＩＲ）モードで機能するＴＩＲ折り返しプリズム１４、１８などの反射器１４、１８が、図１に示すように、ビームスプリッター１２からの光エネルギーの第１の成分Ａ’を加入レンズ１６に通してビーム結合器２０へ向かわせるように配置されている。したがって、反射器１４、１８は、Ｓ光路の画定に寄与している。これにより、第１の成分Ａ’および第２の成分Ａ”が物理的に分離され、第２の成分Ａ”の光路（Ｐ光路）と干渉させることなく、第１の成分Ａ’の光路（Ｓ光路）に加入レンズを挿入できる空間が得られる。あるいは、プリズムに代えて前面ミラーまたは後面ミラーを反射器１４、１８として使用して、同じように第１の成分Ａ’をＳ光路に沿って向かわせることもできる。
【００１６】
ビーム結合器２０を出た結合光エネルギーＡ’Ａ”は、共通の光路を進み、ついで、エミュレータの球面レンズ２２および／または円柱レンズ２４を通過してから人の角膜２６ａとレンズ２６ｂに入り、人間の目２６の網膜２６ｃに投影される。球面レンズ２２は、遠くをみるために結合させた光エネルギーを集束させる。円柱レンズは、乱視を矯正する。球面レンズ２２および円柱レンズ２４は、後述するように、十分な視力であることが報告されるまで、選択的に交換することができる。したがって、エミュレータを通して一般的な視力検査表を見ると、（Ｓ光路からの）近くの画像および（Ｐ光路からの）遠くの画像が網膜２６ｃに同時に現れて、同時視効果がもたらされる。よって、加入レンズ１６、球面レンズ２２、および／または円柱レンズ２４の加入、球面、および／または円柱パラメータを使って得られ、十分な視力を与える視力の処方箋は、多焦点コンタクトレンズの処方に使えるほど正確であり、試行錯誤で検査を行う必要はない。
【００１７】
同時視を模擬するための装置は、図１に関連して前述した光学素子のセットを２つ、すなわち、各目に対し一組ずつを有することが好ましい。本願明細書では、各セットを接眼鏡と呼ぶ。このようにすれば、必要であれば、検査表を見て視力の処方箋を作成する際に両目を使用することができる。したがって、この装置は、立体エミュレーション装置である。なお、この装置が２つの接眼鏡を有する場合でも、遮蔽レンズを一方の接眼鏡に挿入して、片目だけで見られるようにすることができる。
【００１８】
図２Ａ、２Ｂ、および２Ｃは、本発明による典型的な同時視エミュレータ装置５０の正面斜視図、後面斜視図、および断面斜視図である。このエミュレータ装置５０は２つの接眼鏡を有しており、各接眼鏡は、図１に関連して前述した光学系を有している。図２Ａ〜図２Ｃに示すように、装置５０は、前端部５４および後端部５６があるハウジング５２を有する。説明のために、図２Ａ〜図２Ｃでは、ハウジング５２の一部が取り除いた状態で示されている。ここで図１および図２Ａ〜図２Ｃを参照すると、図１に関連して前述したように、入射光エネルギーを直線偏光にするために、ハウジング５２が例えば吸収型偏光子などの偏光子１０を支持している。図２Ａ〜図２Ｃの例では、吸収型偏光子１０をビームスプリッター１２に対して４５°の角度で取り付け固定し、入射するランダムに偏光した光エネルギーが、第１および第２の偏光を有する第１および第２の成分に、確実に、均等に分配されるようにしている。あるいは、偏光子１０をビームスプリッターに対して別の角度で取り付け固定して、別の強度比にすることもできる。他の代替案としては、偏光子１０をビームスプリッター１２に対して回転可能に取り付けて、エミュレータ５０の使用者が選択的に調整して、第１および第２の成分Ａ’、Ａ”間の強度比を変えることができるようにすることもできる。
【００１９】
ビームスプリッター１２、反射鏡／プリズム１４、１８、およびビーム結合器２０を配置した結果、各偏光子１０に入った光エネルギーは、図１に示したものと同様な光路を進行する。ビームスプリッター１２、反射鏡／プリズム１４、１８、およびビーム結合器２０は、光学的に位置が合わせてあり、それらの間にそれぞれの光路を規定している。これらの光路は、図１に示したものと同様である。
【００２０】
図２Ａ〜図２Ｃの典型的な実施形態において、エミュレータ５０は、第１の受け部を有する。この第１の受け部は、光路の１つ、すなわち、図１に示すように第１の成分Ａ’が進行する、近くを見るための（Ｓ）光路に沿った方向に向けられた光エネルギーを通すように配置されている。各々の第１の受け部には、図１の１６においてブロックの形態で示した加入レンズを入れることができる。図２Ａ〜図２Ｃの実施形態では、受け部が、図１の加入レンズ１６として機能するレンズ挿入体を入れられるスロット６０として、ハウジング５２に設けられている。
【００２１】
典型的なレンズ挿入体７０を図３に示す。この典型的なレンズ挿入体７０は、加入度数を与える光学レンズ７２、そのレンズ７２を固定するフレーム７４、およびフレーム７４から延び、レンズ挿入体７０を手でつかみ、エミュレータ５０のスロット６０に着脱することを容易にするハンドル７６を有する。当然のことながら、それぞれが異なる加入度数の光学レンズを有する一組のレンズ挿入体を用意し、これにより、レンズ挿入体７０を交換しながら使用して、見る人のサイトパスに求める加入度数が加えられるようにすることができる。スロット６０およびレンズ挿入体７０は、レンズ挿入体７０をスロット６０に正しく挿入した場合に、それぞれの光学レンズ７２が、近くを見るための（Ｓ）光路を進行する光エネルギーと、光学的に位置が揃うように構成されている。
【００２２】
図２Ａ〜図２Ｃの典型的な実施形態では、エミュレータ５０の各接眼鏡が、第２の受け部８０をさらに有している。第２の受け部８０は、共通の光路Ｙに沿って進行する結合させた光エネルギーを通すように配置されている。各々の第２の受け部８０には、共通の光路を進行する光エネルギーと光学的に位置が合っている状態で球面レンズ８４を入れることができる。一組の交換可能な球面レンズが用意されており、これにより、選択した球面レンズを選択した第２の受け部８０に挿入して、覗いている人のサイトパスに必要な球面度数を加えられることができる。
【００２３】
典型的なエミュレータ５０の各接眼鏡は、第３の受け部９０をも有する。第３の受け部９０は、共通の光路Ｙに沿って進行する、結合させた光エネルギーを通すように所定の位置に設けられている。各々の第３の受け部９０には、共通の光路を進行する光エネルギーと光学的に位置を合わせた状態で円柱レンズ９４を入れることができる。複数の交換可能な円柱レンズが用意されており、これにより、選択した円柱レンズを選択した第３の受け部９０に挿入して、覗いている人のサイトパスに必要な円柱度数を加え、例えば乱視を矯正することができる。好ましい実施形態では、図２Ａ〜図２Ｃに示されるように、各々の第２の受け部８０は、それぞれのビーム結合器２０と、それぞれの第３の受け部９０との間に配置されている。
【００２４】
第２の受け部８０は、図１の球面レンズ２２として機能するレンズを入れられるように設けられている。第３の受け部９０は、図１の円柱レンズ２４として機能するレンズを入れるように設けられている。図２Ａ〜図２Ｃの典型的な実施形態では、第２受け部８０および第３の受け部９０の各々が、それぞれのドロップレンズホルダー(drop lens holder)９６として設けられている。このドロップレンズホルダー９６は、図４Ｂおよび４Cに最もよく示されているように、レンズを保持するためのそれぞれの溝９８を有している。
【００２５】
したがって、矯正用の多焦点コンタクトレンズを求めている人は、目をエミュレータ５０の前端部５４に隣接させて置き、エミュレータの接眼鏡を通して視力検査表を見るように医療専門家に要請されるかもしれない。医療提供者は、レンズの最適な組合せと、そして、それによって視力の処方箋が得られるまで、各接眼鏡の加入レンズ、球面レンズ、および／または円柱レンズを繰り返し交換しながら、視力を比べるようにその人に要請するかもしれない。
【００２６】
図４Ａ〜図４Ｃは、図２Ａ〜図２Ｃにおけるエミュレータ５０の代替実施形態の後面斜視図、正面斜視図、および断面斜視図である。図４Ａ〜図４Ｃの典型的なエミュレータ５０の接眼鏡は、図４Ｃに最もよく示されているように、図２Ａ〜図２Ｃのものと非常に似ている。しかし、この典型的なエミュレータ５０のハウジング５２は、ハンドル５８を有しており、このため、人または医療の専門家は、視力処方箋の作成中に、その人の顔近くにエミュレータ５０を容易に保持できる。あるいは、エミュレータ５０は、三脚台その他に取り付けるために、例えば取り付けボルトを備えるように構成してもよい。さらに、この典型的なエミュレータ５０の各接眼鏡は、数個の加入レンズ７２を支持できるホイール１００を有している。各加入レンズは、それぞれの加入度数を与えるものである。各ホイール１００は、ビームスプリッター１２および／またはハウジング５０に対して回転可能に取り付けられていて、Ｓ光路を進む第１の成分の光エネルギーが選択した加入レンズ７２を通るように、第１の受け部６０の領域に加入レンズを選択的に配置できるようになっている。このようなホイールは、ホロプタなどの検眼装置の技術分野において一般的に公知である。したがって、医療専門家は、ホイール１００を回転させることにより、光路に配置された加入レンズを交換し、求める度数の加入レンズを人のサイトパスに加えることができる。これは、ホイール１００がハウジング５２の開孔１０２から露出していることから、ホイール１００を手で回すことにより行うことができる。レンズの位置を光路に簡単に合わせられるように、ボール式または他の種類の戻り止め機構を設けてもよい。適するいろいろな戻り止め機構が当該技術分野で公知である。
【００２７】
また、図４Ａ〜図４Ｃの典型的な装置は、瞳孔間距離（ＩＰＤ）機構をさらに有する。この瞳孔間距離機構は、エミュレータ５０の接眼鏡間の距離、例えば、第２の受け部８０の間および／または第３の受け部９０の間の距離を変えることができる。言い換えると、ＩＰＤ機構により、エミュレータの左目用接眼鏡と、右目用接眼鏡とを操作して、エミュレータ５０から出る共通光路を、視力検査をしている人の瞳孔に合わせることができる。このようなことが必要であるのは、瞳孔間距離に個人差があるからである。さまざまなＩＰＤ機構が検眼装置の技術分野において公知であり、適するどのＩＰＤ機構も使用することができる。
【００２８】
図示のＩＰＤ機構は、集束機構(convergence mechanism)に連結されており、集束機構を使用している間、さまざまなＩＰＤの設定において、光路を開孔(aperture)の中心に維持することができるように、光路を可変補正できる。典型的なＩＰＤ機構を図６により詳細に示した。図４Ａ、４Ｂ、および６に示すように、この機構は、回転可能なノブ１２０を有しており、このノブ１２０は、ハウジング５２に回転可能に取り付けられたピニオン１２２を動かす。ピニオン１２２は、平行に置かれたラック１２４の間に配置されており、ラック１２４の歯とかみ合う外歯を有している。各ラック１２４は、それぞれ、エミュレータ５０の左目用接眼鏡または右目用接眼鏡を支持しており、および／またはそれらに固定されている。したがって、ノブ１２０／ピニオン１２２を反時計方向に回転させると、エミュレータ５０の左目用接眼鏡と右目用接眼鏡とが離れる。これにより、これらの部分が離れ、より大きな瞳孔間距離に合うようになる。また、ノブ１２０／ピニオン１２２を時計方向に回転させると、エミュレータ５０の左目用接眼鏡と右目用接眼鏡が互いに接近し、より小さな瞳孔間距離に合うようになる。このことは、図６に最もよく示されている。
【００２９】
図５は、図４Ａ〜図４Ｃにおけるエミュレータ５０の代替実施形態の斜視図である。図５の典型的なエミュレータ５０の接眼鏡およびＩＰＤ機構は、図４Ａ〜図４Ｃのものに非常に似ている。さらに、図５のエミュレータ５０の各接眼鏡は、集束機構を有し、この集束機構は、エミュレータ５０の左右の接眼鏡の一方または両方を旋回させて、左目および右目のサイトパスを所定の読書距離、すなわち近活動距離(near activity distance)で交差させることができる。接眼鏡は、エミュレータ５０を顔に押し当て保持したときに、眼球孔の基準回転中心（nominal center of rotation）に位置する一定の点のまわりに旋回することが好ましい。このような集束機構により、人の顔に比較的近い場所、例えば、その人の顔から約１２インチから２４インチ（３０．４８ｃｍから６０．９６ｃｍ）の範囲でその人が焦点を合わせ、例えば読書をするために、眼球孔内で目を回転し、顔に近い場所に焦点を合わせる状況を模擬することができる。これにより、読書を模擬した状況での視力検査をして、読書または他の近くを見る作業によく合う多焦点レンズのための視力処方箋を作成することが可能になる。
【００３０】
典型的な集束機構を図６に示す。図６に示すように、集束機構は、第１および第２のレバー１３０を有している。各々のレバー１３０は、第１の位置から第２の位置に移動できるようにハウジング５２に旋回可能に取り付けられている。第１の位置では、例えば焦点がかなりの距離、例えば２０フィート（６０９．６ｃｍ）より長い距離で合う状況を模擬するために、左目および右目のサイトパスが（図６のように）実質的に平行になる。第２の位置では、例えば読書または同様の状況を模擬するように、（図７のように）左目および右目のサイトパスが交差する。通常、このためには、約１４インチから２２インチ（３５．５６ｃｍ〜５５．８８ｃｍ）の範囲で焦点を合わせるために、約５５ｍｍから７２ｍｍの範囲の瞳孔間距離に対して、約７°から１２°の範囲で各接眼鏡を旋回させる必要がある。左目および右目のサイトパスを交差させるために、接眼鏡を旋回させられるあらゆる集束機構を使用することができる。エミュレータを顔に押し付けたとき、集束機構によって接眼鏡を人間の目の基準回転中心のまわりに回転させられることが好ましい。目の基準回転中心は、角膜の前面の後方、約１５ｍｍにある。
【００３１】
図７は、図５および図６の装置における集束機構の作用を示す概略図である。図７から分かるように、エミュレータ５０の左目用接眼鏡および右目用接眼鏡を互いの方へと回して、集束作用をさせると、エミュレータ５０を通る光エネルギーは、交差するサイトパスに沿って進行する。
【００３２】
図８は、図４Ａ〜図４Ｃのエミュレータ５０のさらに別の代替実施形態の斜視図である。図８の典型的なエミュレータ５０の接眼鏡およびＩＰＤ機構は、図４Ａ−４Ｃのものと非常に似ている。さらに、図８のエミュレータ５０の各接眼鏡は、さまざまな度数からなる複数の球面レンズ１４２、１４４を支持する球面調整部材１４０を有している。例えば、これらの球面レンズ全体として、１／４刻みの増分でジオプトリー単位（例えば、＋０．５０、＋０．２５、−０．２５、−０．５０ジオプトリー）の度数調整ができる。各球面調整部材１４０は、ハウジング５２に移動可能に支持されており、選択した球面レンズ１４２、１４４をそれぞれの目の部分の共通光路に選択的に位置合わせすることができる。球面調整部材１４０は、共通光路に選択的に位置を合わせることができる無レンズ開口部１４６、または平面／０．００ジオプトリーレンズを有していることが好ましい。球面レンズは、回転可能なホイール（不図示）として設けてもよいが、図８に示すように、縦方向に移動できる長い帯状体が好ましい。
【００３３】
したがって、球面調整部材１４０の球面レンズは、接眼鏡と、第２および第３の受け部と、これら受け部に配置されたあらゆる球面および／または円柱レンズに、位置を光学的に合わせることができ、それぞれの共通の光路に位置を合わせることができる。したがって、球面調整部材１４０の球面レンズは、最初に、第２の受け部／ドロップホルダ９６に配置する適切な球面レンズを見いだすことで、視力処方箋を微調整するのに使用できる。例えば、この場合の球面レンズは、ジオプトリーを０．５０刻み増やしながら与えることであってもよい。次に、球面調整部材１４０を動かして、加えている球面度数全体を０．２５ジオプトリー刻みで増やすように調整することができる。都合がよいことに、これは、人の顔からエミュレータ５０を取り去る必要もなく、または人が検査表を見るのを中断させる必要もなく行うことができる。このことは、加えた二つの異なる球面度数の間で、人が視力を比較するのに役立つ。ボールまたは他の種類の戻り止め機構を、球面調整部材のレンズを対応する共通光路に容易に位置合わせできるように設けてもよい。
【００３４】
図９は、本発明による、多焦点コンタクトレンズを模擬し、目の網膜に同時視効果を生じさせる方法を説明した流れ図である。図９に示すように、この方法は、ステップ１５２で示すように、入射光エネルギーを第１および第２の成分に分割することから始まる。これには、図１に示すように、入射光エネルギーをビームスプリッター１２に通し、かつ、オプションとして吸収型偏光子１０に通して、異なる偏光を有する第１および第２の成分を生成することが含まれる。
【００３５】
次に、第１の成分は、ステップ１５４で示すように、第１の光路に沿って伝搬させ、加入レンズに通す。これには、第１の成分を第１の光路に沿う方向に向けるということが含まれる。これも、ビームスプリッター１２を用いて行うことができる。図１の例では、これに、第１の成分の光エネルギーを反射器１４で反射し、加入レンズ１６に通すということも含まれる。
【００３６】
さらに、ステップ１５６で示すように、ビームスプリッター１２により、第２の成分を、第１の光路とは異なる第２の光路に沿って伝搬させる。したがって、これにより、第１の成分のみの光エネルギーが加入レンズを通ることになる。
【００３７】
次に、ステップ１５８およびステップ１６０で示すように、光エネルギーの第１および第２の成分を再結合させ、球面レンズを通る共通の光路に沿って伝搬させる。これには、第１の成分の光エネルギーを反射器１８でビーム結合器２０に向けて反射させるということが含まれることがある（図１参照）。ビーム結合器は、第１および第２の成分を結合させ、球面レンズを通る共通の光路に沿って進行させる。
【００３８】
さらに、ステップ１６２および１６４に示すように、結合させた光エネルギーを、円柱レンズを通る共通の光路に沿って伝搬させ、目の網膜に向かわせる。
【００３９】
次に、この方法には、ステップ１６６および１６８に示すように、求める水準の視力が得られるまで、加入レンズ、球面レンズ、および／または円柱レンズの少なくとも一つを繰り返して交換するということが含まれる。これには、最初に用いた度数／レンズの組合せで、人が視力検査表を見られるようにすることと、２番目に用いた度数／レンズの組合せで、人が視力検査表を見られるようにすることと、どちらの組合せが、より良好な視力をもたらしたかに関して人から報告を受けることとが含まれることがある。これは、十分な、または最適な組合せが見つかるまで繰り返すことができる。求める視力の水準は、当業者には分かるように、その人の感覚、目標となるガイドライン、準拠法などによって決めることができる。
【００４０】
求める視力の水準が達成されると、ステップ１７０で示すように、求める視力水準を与えるレンズの組合せの加入度数、球面度数、および／または円柱度数を反映して、視力の処方箋を作成することができる。次に、処方箋を満たす多焦点コンタクトレンズをその人に与えることができ、与えられた多焦点コンタクトレンズは、高い信頼性をもって視力を求められた水準にする。
【００４１】
図１０は、本発明による別の同時視エミュレータ５０の概略図である。このエミュレータ５０は、図１〜図９に関連して述べたものと同様の原理で動作する。図１０の例では、光エネルギーが矢印Ｂの方向に進行し、オプションである偏光子１６０、例えば板状の吸収型偏光子と、球面度数または”遠用”度数を加える試用フレームレンズ１６２を通る。図１に関連して前述したように、偏光子１６０を使用して、ビームスプリッター１６４を通過した後に、球面光路と加入光路に沿う方向に向けられる入射光エネルギーの成分間の比を調整することができる。試用フレームレンズ１６２を出た光エネルギーは、可視波長帯偏光ビームスプリッター１６４に入る。このビームスプリッター１６４は、第１および第２の光エネルギー成分を生成する。光エネルギーの第２の成分（”Ｐ”偏光）は、ビームスプリッター１６４をまっすぐに通過し、焦点距離、すなわち「パワージオプトリー(power diopters)」の範囲だけで存在する。光エネルギーの第１の成分（”Ｓ”偏光）は、ビームスプリッター１６４で反射されて、アクロマティック１／４波長板１６６を通り、ミラー１６８に向かう。アクロマティック１／４波長板１６６は、この波長板を２回通過したら”Ｓ”偏光が”Ｐ”偏光に回転するように、光路に対する向きを合わせてある。１／４波長板１６６は、この波長板を２回通過した”Ｐ”偏光を”Ｓ”偏光に回転させもする。ミラー１６８で反射された光エネルギーは、アクロマティック１／４波長板１６６を通って戻る。光エネルギーが波長板１６６を２回通る結果、ビームスプリッター１６４に再び入った光エネルギーは、”Ｐ”偏光を有している。この偏光のために、光エネルギーはビームスプリッター１６４を通り、もう一つのクロマティック１／４波長板１７０を通って、もう一つのミラー１７２に向かう。この第２のミラー１７２は、いろいろな大きさの凹面曲率を有するように、交換、または変形し、これにより、ミラーが加入レンズとして作用して加入度数を加えるようにすることができる。
【００４２】
次に、第２のミラー１７２で反射された光エネルギーは、第２のアクロマティック１／４波長板１７０を通って戻る。このように光エネルギーを波長板に２回通すことにより、ビームスプリッター１６４に再び入る光エネルギーが、再び”Ｓ”偏光を有するようになる。光エネルギーが、今度は”Ｓ”偏光を有するので、ビームスプリッター１６４により目２６に向けて反射される。
【００４３】
当然のことながら、フレネルロムは他の素子をアクロマティック１／４波長板に換えて使用して、１／４波長ずらすことであってもよい。
【００４４】
オプションとして、乱視を調整するトライアル用円柱フレームレンズ（不図示）のためのスロットを、図１０に示すように、ビームスプリッター１６４の左または右に設けてもよい。あるいは、レンズ１６０をビームスプリッター１６４の右側、目２６の直ぐ前に配置する。別の代替案として、いずれか、または両方のミラーを、上述したように湾曲させて、個別に、または協働して加入度数を加えるようにしてもよい。
【００４５】
したがって、図１０の実施形態では、図１〜図８の実施形態と同様に、入射光エネルギーは、第１の光路Ｓ（ミラーによる反射とアクロマティック１／４波長板を通過することを含む）に沿う方向に向けられた第１の成分と、第１の光路とは異なる第２の光路Ｐ（図１０のビームスプリッター／偏光キューブ１６４を直接通過することを含む）に沿う方向に向けられた第２の成分に分割される。さらに、この実施形態は、第１の成分の光エネルギーだけに加入度数を加える。この典型的な実施形態では、光エネルギーを湾曲したミラーで反射することにより加入度数を加える。あるいは、加入レンズを使用することもできる。さらに、第２の成分の光エネルギーと、加入度数を加えた後の第１の成分の光エネルギーは、共通の光路に沿う方向に、すなわち目の網膜に向けられる。
【００４６】
共通の光路に沿って進行する結合させた光エネルギーを、球面レンズ１６２にも通す。これは、ビームスプリッター１６４を通過させる前に行ってもよいし、または通過させた後に行ってもよい（図１０では通過させる前を示している）。さらに、加入度数および球面度数が加えられた、結合させた光エネルギーは、目２６の網膜に誘導し、同時視効果を起こさせる。
【００４７】
以上、本発明の特定の実施形態について説明したが、当業者は、さまざまな変更、修正、および改良に、容易に思いつくであろう。本願の開示から自明のそのような変更、修正、および改良は、本明細書では明言していないが、本明細書の一部であることが意図されており、本発明の趣旨および範囲内にあることが意図されている。したがって、上記は例示に過ぎず、限定ではない。本発明は、以下の特許請求の範囲で定義されているもの、およびその均等物で定義されるものによってのみ限定される。
【００４８】
〔実施の態様〕
（１）  多焦点コンタクトレンズを模擬して同時視効果を目の網膜に生じさせるための装置であって、
入射光エネルギーを、第１の光路に沿う方向に向ける第１の成分と、前記第１の光路と異なる第２の光路に沿う方向に向ける第２の成分とに分割するように配置されたビームスプリッターと、
前記第１の光路に沿う方向に向けた光エネルギーのみを通すように配置されており、加入レンズを入れることができる第１の受け部と、
前記第２の成分の光エネルギーを、前記第１の受け部を通過した前記第１の成分の光エネルギーと結合させ、前記結合させた光エネルギーを共通の光路に沿う方向に向けるように配置されたビーム結合器と、
前記共通の光路に沿って進行している前記結合させた光エネルギーを通すように配置されており、球面レンズを入れることができる第２受け部と、を備えている、装置。
（２）  実施形態１記載の装置であって、
前記ビームスプリッターおよび前記ビーム結合器には、それぞれ、キューブビームスプリッターが含まれる、装置。
（３）  実施形態１記載の装置であって、
前記ビームスプリッターおよび前記ビーム結合器には、それぞれ、キューブビーム偏光子が含まれる、装置。
（４）  実施形態１記載の装置であって、
入射光エネルギーを直線偏光に変換する吸収型偏光子をさらに備えている、装置。
（５）  実施形態４記載の装置であって、
前記吸収型偏光子が、前記ビームスプリッターによって生成された前記第１および第２の成分の間の強度比を変えるために、前記ビームスプリッターに対して回転可能に取り付けられている、装置。
【００４９】
（６）  実施形態１記載の装置であって、
前記共通の光路に沿って進行している前記結合させた光エネルギーを通すように配置されており、円柱レンズを入れることができる第３の受け部をさらに備えている、装置。
（７）  実施形態６記載の装置であって、
前記第２の受け部が、前記ビーム連結器および前記第３の受け部の間において、前記共通の光路に沿った位置に配置されている、装置。
（８）  実施形態６記載の装置であって、
前記第２および第３受け部の各々が、それぞれのドロップレンズホルダーを備えている、装置
（９）  実施形態１記載の装置であって、
前記第１の受け部が、レンズ挿入体を入れるためのスロットを備えている、装置。
（１０）  実施形態１記載の装置であって、
前記ビームスプリッターからの前記第１成分の光エネルギーの向きを再度変えて前記第１の受け部に通す第１の反射器と、
前記第１の反射器からの前記第１成分の光エネルギーの向きを前記ビーム結合器へと再度変える第２の反射器と、をさらに備えている、装置。
【００５０】
（１１）  実施形態１０記載の装置であって、
前記第１および第２の反射器の各々が、それぞれの全反射プリズムを備えている、装置。
（１２）  実施形態１記載の装置であって、
各々がそれぞれの加入度数を与える複数の加入レンズを支持することができるホイールであって、前記複数の加入レンズのなかで選択した１つを前記第１の受け部に配置して前記第１の成分の光エネルギーを通すために、前記ビームスプリッターに対して回転可能に取り付けられているホイールをさらに備えている、装置。
（１３）  実施形態１記載の装置であって、
いろいろな度数からなる複数の球面レンズを支持している球面調整部材であって、前記複数の球面レンズのなかで選択した１つを前記共通の光路に位置合わせするために、ハウジングに可動に支持されている球面調整部材をさらに備えている、装置。
（１４）  実施形態１３記載の装置であって、
前記球面調整部材が、縦方向に移動できる長い帯状体を備えている、装置。
（１５）  実施形態１３記載の装置であって、
前記球面調整部材が、無レンズ開口部を備えており、前記無レンズ開口部は、前記共通の光路に選択的に位置を合わせることができる、装置。
【００５１】
（１６）  実施形態１３記載の装置であって、
前記複数のレンズが、全体として、１／４刻みのジオプトリー増分で、度数の調整を可能にしている、装置
（１７）  多焦点コンタクトレンズを模擬して、同時視効果を人の目の網膜に生じさせるための装置であって、
ハウジングと、
請求項１による第１の装置であって、前記第１の装置の前記共通の光路を前記人の左目の位置に合わるために、前記ハウジングに所定位置において支持されている第１の装置と、
請求項１による第２の装置であって、前記第２の装置の前記共通の光路を前記人の右目の位置に合わるために、前記ハウジングに所定位置において支持されている第２の装置と、を備えている装置。
（１８）  実施形態１７記載の装置であって、
それぞれの前記共通の光路を前記人の左右の目の瞳孔の位置に合わせるために、それぞれの前記第３の受け部の間の距離を変えることができる瞳孔間距離機構をさらに備えている、装置。
（１９）  実施形態１７記載の装置であって、
前記第１および第２の装置の少なくとも一部を旋回させて、それぞれの前記第１の受け部のそれぞれの軸を交差させることができる集束機構をさらに備えている、装置。
（２０）  実施形態１７記載の装置であって、
それぞれの加入度数を与える複数の加入レンズを各々が支持する第１および第２ホイールであって、前記複数の加入レンズのなかで選択した１つを、それぞれの第１の受け部に選択的に配置して、それぞれの第１の成分の光エネルギーを通すために、各々が、回転可能となっている第１および第２のホイールをさらに備えている、装置。
【００５２】
（２１）  実施形態１７記載の装置であって、
いろいろな度数からなる複数の球面レンズを各々が支持している第１および第２の球面調整部材であって、それぞれの前記複数の球面レンズのなかで選択した１つを、それぞれの前記共通の光路に選択的に位置合わせするために、各々が、前記ハウジングに可動に支持されている第１および第２の球面調整部材をさらに備えている装置。
（２２）  実施形態２１記載の装置であって、
前記第１および第２の球面調整部材の各々が、前記ハウジング上で、それぞれの前記共通の光路に対して縦方向に移動可能な長い帯状体を備えている、装置。
（２３）  実施形態２１記載の装置であって、
前記第１および第２の球面調整部材の各々が、無レンズ開口部を備えており、前記無レンズ開口部は、それぞれの前記共通の光路に選択的に位置を合わせることができる、装置。
（２４）  実施形態２１記載の装置であって、
前記複数のレンズが、全体として、１／４刻みのジオプトリー増分で、度数の調整を可能にしている、装置
（２５）  多焦点コンタクトレンズを模擬して、同時視効果を目の網膜に生じさせる方法であって、
入射光エネルギーを、第１の光路に沿う方向に向けた第１の光エネルギー成分と、前記第１の光路と異なる第２の光路に沿う方向に向けた第２の光エネルギー成分とに分割する段階と、
前記第１の成分にのみ加入度数を加える段階と、
前記第１の成分に前記加入度数を加えた後に、前記第１の成分および前記第２の成分を共通の光路に沿う方向に向ける段階と、
前記共通の光路に沿って進行する前記結合させた光エネルギーに球面度数を加える段階と、
前記加入度数および前記球面度数を加えた後に、前記結合させた光エネルギーを目の網膜に向ける段階と、を含む方法。
【００５３】
（２６）  実施形態２５記載の方法であって、
前記加入度数を加える段階は、
ビームスプリッターからの光エネルギーを反射させて加入レンズに通すことと、
前記加入レンズからの光エネルギーをビーム結合器へと反射させることと、を含む方法。
（２７）  実施形態２５記載の方法であって、
前記加入度数を加える段階は、加入度数を加える曲面ミラーからの光エネルギーを反射させることを含む、方法。
（２８）  実施形態２５記載の方法であって、
前記第１の光路には、第１のアクロマティック１／４波長板を２度通るための第１のミラーからの反射と、偏光ビームスプリッターの通過と、第２のアクロマティック１／４波長板を２度通るための第２のミラーからの反射と、が含まれる方法。
（２９）  実施形態２５記載の方法であって、
前記加入度数を加えることには、光エネルギーを加入レンズに通すことが含まれ、前記球面度数を加えることには、前記結合させた光エネルギーを球面レンズに通すことが含まれる、方法。
（３０）  実施形態２９記載の方法であって、
求める水準の視力が得られるまで、前記加入レンズおよび前記球面レンズの少なくとも一方を繰り返し交換する段階と、
前記求める水準の視力を与える前記加入レンズおよび前記球面レンズのそれぞれに対応する加入度数および球面度数を有する多焦点コンタクトレンズを処方する段階と、をさらに含む方法。
【００５４】
（３１）  実施形態２５記載の方法であって、
前記結合させた光エネルギーを前記目の網膜に向ける前に、前記共通の光路に沿って進行している前記結合させた光エネルギーに円柱度数を加える段階、をさらに含む方法。
（３２）  実施形態３１記載の方法であって、
前記円柱度数を加える段階には、前記結合させた光エネルギーを円柱レンズに通すことが含まれる、方法。
（３３）  実施形態３２記載の方法であって、
求める水準の視力が得られるまで、前記加入レンズ、前記球面レンズ、および前記円柱レンズの少なくとも１つを繰り返し交換する段階と、
前記求める水準の視力を与える前記加入レンズ、前記球面レンズ、および前記円柱レンズのそれぞれに対応する加入度数、球面度数、および円柱度数を有する多焦点コンタクトレンズを処方する段階と、をさらに含む方法。
（３４）  実施形態２５記載の方法であって、
前記入射光エネルギーを分割する段階には、
前記入射光エネルギーを偏光子に通して、前記入射光エネルギーを直線偏光に変換する段階と、
前記偏光させた入射光エネルギーをビームスプリッターに通して、それぞれ第１および第２の光路に沿う方向に向けられた前記第１および第２の光エネルギー成分を生成する段階と、を備える方法。
（３５）  実施形態２５記載の方法であって、
前記第１および第２成分を共通の光路に沿う方向に向ける段階は、
前記第１および第２成分をビーム結合器に通す段階、を含む方法。
【００５５】
（３６）  多焦点コンタクトレンズを模擬して、同時視効果を目の網膜に生じさせる方法であって、
入射光エネルギーを第１の成分および第２の成分に分割する段階と、
加入度数を前記第１および第２の成分のうちの前記第１の成分に加える段階と、
前記第１の成分に前記加入度数を加えた後に、前記第２の成分および前記第１の成分に球面度数を加える段階と、
前記加入度数および前記球面度数を加えた後に、前記第１および第２成分を目の網膜に向ける段階と、を含む方法。
（３７）  実施形態２６記載の方法であって、
前記加入度数および前記球面度数の一方を加えるために第１レンズを使用する段階と、
前記第１レンズと異なる度数を有する第２レンズに第１レンズを交換する段階と、
前記第１および第２レンズのそれぞれでの視力を比較した報告を人から受ける段階と、をさらに含む方法。
【図面の簡単な説明】
【００５６】
【図１】本発明による同時視エミュレータの概略図である。
【図２Ａ】本発明による典型的な同時視エミュレータ装置の正面斜視図である。
【図２Ｂ】本発明による典型的な同時視エミュレータ装置の背面斜視図である。
【図２Ｃ】図２Ｂの線２Ｃ−２Ｃに沿って取られた、図２Ｂの装置の断面斜視図である。
【図３】図２Ａから図２Ｃの装置で使用する典型的なレンズの斜視図である。
【図４Ａ】図２Ａから図２Ｃの装置の代替実施形態の背面斜視図である。
【図４Ｂ】図２Ａから図２Ｃの装置の代替実施形態の正面斜視図である。
【図４Ｃ】図４Ｂの線４Ｃ−４Ｃに沿って取られた、図４Ａおよび４Ｂの装置の断面斜視図である。
【図５】図４Ａから図４Ｃの装置の代替実施形態の斜視図である。
【図６】説明の明確のために一部を取り除いた、図５の装置の上面図である。
【図７】図６の装置の集束特性を図示する概略図である。
【図８】図４Ａから図４Ｃの装置の他の代替実施形態の斜視図である。
【図９】本発明により、多焦点コンタクトレンズを模擬して、目の網膜に同時視効果を生成する方法を説明した流れ図である。
【図１０】本発明による他の同時視エミュレータの概略図である。
【図１】
2007527263.tif 000003
【図２Ａ】
2007527263.tif 000004
【図２Ｂ】
2007527263.tif 000005
【図２Ｃ】
2007527263.tif 000006
【図３】
2007527263.tif 000007
【図４Ａ】
2007527263.tif 000008
【図４Ｂ】
2007527263.tif 000009
【図４Ｃ】
2007527263.tif 000010
【図５】
2007527263.tif 000011
【図６】
2007527263.tif 000012
【図７】
2007527263.tif 000013
【図８】
2007527263.tif 000014
【図９】
2007527263.tif 000015
【図１０】
2007527263.tif 000016
【国際調査報告】
2007527263.tif 000017
2007527263.tif 000018
2007527263.tif 000019